(57)【要約】【課題】  電子機器に装着して使用する記憶媒体に関する情報を、記憶媒体を電子機器に装着せずに確認できる電子機器、記憶媒体および情報処理システムを提供する。【解決手段】  電子カメラ１００は電磁波送信部から電磁波をメモリカード７７に送信し、メモリカード７７は電子カメラ１００から送信された電磁波の電磁誘導作用により電力を発生し、該電力の供給のもとでメモリカード７７に関する情報を該記憶媒体側の表示手段により表示する。【選択図】  図１
2008135066.tif 000002
【特許請求の範囲】
【請求項１】
情報データの書き込みおよび読み出しが可能な不揮発性メモリを有しており、電子機器に対して着脱可能な記憶媒体であって、
該電子機器へ装着した時に該電子機器に備えられたコネクタ端子との機械的な接触により該電子機器からの電力供給を受けるとともに前記情報データの通信経路を形成するコネクタ端子と、
該電子機器が送信する電磁波に反応して電力を発生する電源生成部と、
前記電源生成部が発電した電力により、前記記憶媒体を識別するための識別情報を表示する表示部を備える記憶媒体と、
前記記憶媒体を装着可能な電子機器であって、前記記憶媒体の装着時に前記記憶媒体に備えられた前記コネクタ端子との機械的な接触により前記記憶媒体へ電力を供給するとともに前記情報データの通信経路を形成するコネクタ端子と、
前記記憶媒体に電磁波を送信する送信部とを備える電子機器とからなる情報処理システム。
【請求項２】
請求項１に記載の情報処理システムにおいて、前記識別情報は画像データを含むことを特徴とする情報処理システム。
【請求項３】
請求項２に記載の情報処理システムにおいて、前記電子機器は撮影により画像データを生成する撮像部を備えるとともに、前記識別情報データは画像データであることを特徴とする情報処理システム。
【請求項４】
請求項１乃至請求項３のいずれか１項に記載の情報処理システムにおいて、前記識別情報は前記記憶媒体の空き容量に関する情報を含むことを特徴とする情報処理システム。
【請求項５】
情報データの書き込みおよび読み出しが可能な不揮発性メモリを有しており、電子機器に対して着脱可能な記憶媒体であって、
該電子機器へ装着した時に該電子機器に備えられたコネクタ端子との機械的な接触により該電子機器からの電力供給を受けるとともに前記情報データの通信経路を形成するコネクタ端子と、
該電子機器が送信する電磁波に反応して電力を発生する電源生成部と、
前記電源生成部が発電した電力により、前記記憶媒体を識別するための識別情報を表示する表示部を備えることを特徴とする記憶媒体。
【請求項６】
請求項５に記載の記憶媒体において、
前記識別情報は画像データを含むことを特徴とする記憶媒体。
【請求項７】
請求項５又は請求項６に記載の記憶媒体において、前記識別情報は前記記憶媒体の空き容量に関する情報を含むことを特徴とする記憶媒体。
【発明の詳細な説明】
【技術分野】
【０００１】
本発明は、電子機器に対し着脱可能な記憶媒体を電子機器に装着し、電子機器で処理した情報を記憶媒体に記憶させたり、記憶媒体に記憶された情報を電子機器に読み出して利用する電子機器、記憶媒体および情報処理システムに関する。
【背景技術】
【０００２】
従来、電子機器で取り扱う情報（電子データ等）の利用性の向上を図ることと、電子機器で取り扱う情報の記憶容量にフレキシビリティを持たせるために、電子機器にリムーバブルメモリ（ＰＣカード、ＳＤカード、スマートメディア、メモリスティック等、以降メモリカードと呼ぶ）を装着するとともに、電子機器は装着したメモリカードから電子データを読み出したり、メモリカードに対し電子データを書き込んで利用することが知られている。例えば電子カメラで撮影した画像データを電子カメラに装着したメモリカードに格納するとともに、該メモリカードから過去に撮影した画像データを電子カメラの表示画面に表示して閲覧するという使い方が知られている。
【０００３】
このような電子機器とメモリカードからなる情報処理システムにおいては、メモリカードの記憶容量には上限があるため、情報処理システムの使用が長期になるにつれ、メモリカードの数が増えてしまう傾向があった。またユーザが複数のメモリカードを使い分け、メモリカード毎に異なる分類の電子データを記憶させて利用することも行われていた。例えば電子カメラの場合、メモリカード毎に電子カメラのユーザを分けたり、メモリカード別に被写体ジャンル（風景、人物、花鳥等の分類）を分けて使用することが行われている。
【０００４】
このように多数のリムーバブルなメモリカードの中から目的とするメモリカードをユーザが選んで電子機器で利用する場合に、一般的にユーザはメモリーカードの空き容量がどの程度あるか、メモリカードにはどのような情報が入っていいるのか等を確認して利用する場合が多い。このような確認作業は、従来メモリカードを個別に電子機器に装着し、電子機器でメモリカードに格納されている電子データやカード情報を読み出し、読み出した情報を電子機器の表示画面でユーザが閲覧することにより行われていた。しかしながらこのようにメモリカードをいちいち電子機器に装着して確認する場合は、メモリカードの数が膨大になると非常に手間のかかる作業となり、迅速に目的とするメモリカードを抽出することができなかった。例えば電子カメラのような電子機器においては、メモリカードを選択するのに時間が掛かった場合には、シャッターチャンスを逃すような場合もあった。
【０００５】
このような問題に対処する方策として、どのような内容の電子データが各メモリカードに格納されているかを識別するために、格納されている電子データの概要を印刷または手書きしたインデックスを各メモリカードに貼りつけておき、該インデックスを参照して必要なメモリカードを選択し、選択されたメモリカードを電子機器に装着して利用することも行われている。
【発明の開示】
【発明が解決しようとする課題】
【０００６】
しかしながらメモリカード自体が小型なため、貼りつけるインデックス用紙の面積も小さく、メモリカードに格納された電子データを的確に識別するための情報を全て表示することが困難であった。またメモリカードに格納された電子データの内容を常時管理して更新するのは非常な労力を必要とするので困難であった。特に使用途中のメモリカードの空き容量等の情報については、メモリカードを利用するたびに変化するために人手によりインデックスを更新して管理するのはほとんど不可能であった。
【０００７】
そこで本発明は、電子機器に着脱可能な記憶媒体（メモリカード）の情報（空き容量、格納された電子データの内容等）を簡便に確認できる電子機器、記憶媒体および情報処理システムを提供することを目的とする。
【課題を解決するための手段】
【０００８】
上記目的を達成するため、本発明による記憶媒体および情報処理システムにおいては、電子機器および該電子機器に対して着脱可能な記憶媒体は、機械的な接続により情報通信を行う接触型通信手段、電子機器は無線電力送信手段を備えるとともに、記憶媒体は無線電力受信手段と表示手段を備え、電子機器が本来的に利用する電子データ（電子カメラの場合は画像データ）は電子機器および記憶媒体の接触型通信手段により相互にやりとりし、利用者が記憶媒体を選択するために確認が必要な情報（例えば空き容量、メモリカードの識別情報、電子データのファイル名等）は、記憶媒体が電子機器より無線による電力供給を受けた場合に該情報を記憶媒体側の表示手段により表示する。
【発明の効果】
【０００９】
本発明による記憶媒体および情報処理システムにおいては、電子機器から記憶媒体に無線で電力を供給し、該電力に基づき記憶媒体側で記憶媒体に関する情報を表示するので、ユーザは記憶媒体に関する情報を確認するために記憶媒体を電子機器に装着する手間が省け、迅速に所望の記憶媒体を選択することができる。
【００１０】
また記憶媒体を電子機器に装着する回数を減らすことができるので、磨耗などによる記憶媒体や電子機器のコネクタ部の故障や破損を防止することができる。またユーザは記憶媒体に関する情報を確認するために記憶媒体にインデックスを貼りつけたり、該インデックスを更新したりする手間が省け、常時最新の記憶媒体に関する情報を得ることができる。
【発明を実施するための最良の形態】
【００１１】
以下、図面を参照して本発明の実施形態について説明する。図１は、本発明を適用した情報システムの概念図であって、電子カメラ１００（電子機器）に対しメモリカード７７（記憶媒体）は着脱可能であり、電子カメラ１００に対しメモリカード７７が装着された場合は、電子カメラ１００の接続部（コネクタ）とメモリカード７７の接続部（コネクタ）の機械的な接触により電子カメラ１００とメモリカード７７の間に通信経路が形成され、この通信経路により電子カメラ１００とメモリカード７７の間で各種情報（画像データ）のやりとりが行われる。このような通信形態を接触型通信と呼ぶ。また電子カメラ１００の接続部（コネクタ）とメモリカード７７の接続部（コネクタ）の機械的な接触により、電子カメラ１００からメモリカード７７に電力が供給される。
【００１２】
一方電子カメラ１００とメモリカード７７の間には所謂ＲＦＩＤ（ＲａｄｉｏＦｒｅｑｕｅｎｃｙ  ＩＤｄｅｎｔｉｆｉｃａｔｉｏｎ）伝送方式の非接触型通信の通信経路もあり、メモリカード７７を電子カメラ１００の近傍に近づけると該通信経路により記憶媒体７７から電子カメラ１００にメモリカード７７の情報（例えば空き容量、メモリカード７７の識別情報、画像データのファイル名等）が転送され、電子カメラ１００の表示画面に該情報を表示する。ＲＦＩＤ伝送方式においては、情報の通信と同時に電磁結合により交流磁界によるコイルの相互誘導・電磁誘導により電力の無線供給が可能であり、メモリカード７７はコネクタ接続による電力供給がない場合でも電子カメラ１００が発生する電磁波を受信して、通信のための電力を自己生成することができる。ＲＦＩＤ伝送方式には、静電結合方式（静電気による誘導作用を利用。交信距離は〜数ｍｍ。密着型とも呼ばれる。）、電磁結合方式（密に結合した電磁誘導作用を利用。交信距離は〜数十ｃｍ。近接型とも呼ばれる。）、電磁誘導方式（電磁誘導作用を利用。交信距離は〜１ｍ。近傍型とも呼ばれる。）、マイクロ波方式（マイクロ波帯の電波を利用。交信距離は〜５ｍ）があり、利用形態に応じてどの方式を利用しても構わないが、電子カメラ１００を用いる場合は複数のメモリカード７７との混信を防止させるためと電子カメラ１００の電力供給負担を軽減するために交信距離が数ｃｍの電磁結合方式または電磁誘導方式を用いるのが好ましい。
【００１３】
このような構成により電子カメラ１００のユーザは電子カメラ１００にメモリカード７７をいちいち装着させる必要なく、電子カメラ１００の近傍（〜数ｃｍ）にメモリカード７７を近づけるだけでメモリカード７７の情報（例えば空き容量、メモリカード７７の識別情報、画像データのファイル名等）を確認することができる。
【００１４】
図２および図３は、本発明を適用した電子機器である電子カメラ１００の一実施形態の外観図（正面視および背面視）である。図２に示すように電子カメラ１００の前面には被写体像を形成するための撮影レンズ１０、撮影画面を確認するためのファインダ１１、撮影時に被写体を照明するためのストロボ１２、被写体の明るさを検知するための測光回路１３、電子カメラ１００をユーザが手でホールドしやすくするためにカメラ本体から出っ張ったグリップ部１４が備えられ、上面には撮影を指示するためのレリーズボタン１６、電子カメラ１００の電源のＯＮ／ＯＦＦ制御を行うための電源スイッチ１７が備えられる。
【００１５】
図３に示すように、電子カメラ１００の背面にはファインダ１１の接眼部、テキスト表示用および画像表示用の略四角形の画面を備えた左ＬＣＤ（左画面）２１とテキスト表示用および画像表示用の略四角形の画面を備えた右ＬＣＤ（右画面）２２が配置され、右ＬＣＤ２２の下側には再生モード時に表示画像の切換等に用いられる上方向ボタン２３、下方向ボタン２４、左方向ボタン２５、右方向ボタン２６、決定ボタン２７が配置され、左ＬＣＤ２１の下側には電子カメラ１００を撮影モードに設定するための撮影モードボタン２８、電子カメラ１００を再生モードに設定するための再生モードボタン２９、電子カメラ１００に近づけたメモリカード７７の情報を非接触で読み出して表示するためのカードボタン３１が配置されている。側面には画像データ保存用のメモリカード７７を装着するためのメモリカードスロット３０が備えられる。
【００１６】
なおレリーズボタン１６、上方向ボタン２３、下方向ボタン２４、左方向ボタン２５、右方向ボタン２６、決定ボタン２７、撮影モードボタン２８、再生モードボタン２９、カードボタン３１は全てユーザーによって操作される操作キーである。
【００１７】
なお左ＬＣＤ２１および右ＬＣＤ２２の表面上には、指の接触操作により指示された位置に対応する接触位置データを出力する機能を備えたいわゆるタッチスクリーン６６が配置され、画面上に表示された選択項目や画像データの選択に用いることができる。このタッチスクリーン６６はガラス・樹脂等の透明材料によって構成され、ユーザはタッチスクリーン６６の内側に形成される画像やテキストを、タッチスクリーン６６を通して観察することができる。
【００１８】
図４はメモリカード７７の外観図であって、矢印方向に電子カメラ１００のメモリカードスロット３０に押しこんで装着すると、コネクタ端子７８が電子カメラ１００内部の不図示のコネクタ端子に機械的に接触してメモリカード７７と電子カメラ１００の間に電気的通信経路が形成される。なおコネクタ端子７８の一部の端子は電源端子となっており、電子カメラ１００に装着した際、該電源端子を介して電子カメラ１００側から電力の供給を受ける。
【００１９】
図５は、図２および図３に示した電子カメラ１００の内部の電気構成例を示すブロック図であって、各構成要素は各種情報データおよび制御データを伝送するためのデータ／制御バス５１を介して互いに接続されている。各構成要素はおおまかに、画像データの撮影動作を実行する撮影制御回路６０を中心とするブロック、画像データおよびその関連情報の表示を実行する画面制御回路９２を中心とするブロック、メモリカード７７と非接触通信を行う無線通信回路７２を中心とするブロック、操作キー６５等のユーザーインターフェースと各制御回路に対する統括制御を行うＣＰＵ５０を中心とするブロックに分けることができる。
【００２０】
ＣＰＵ５０（中央処理ユニット）は電子カメラ１００全体の制御を行う手段であって、操作キー６５、タッチスクリーン６６、電源スイッチ１７、タイマ７４、測光回路１３からの入力情報に応じて撮影制御回路６０、画面制御回路９２、電源制御回路６４への各種指示を行う。測光回路１３は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。
【００２１】
ＣＰＵ５０は撮影モードではレリーズボタン１６の操作に応じて撮影制御回路６０を介し撮影動作を制御する。またＣＰＵ５０は測光データに基づき被写体が暗い場合には、撮影時にストロボ駆動回路７３を介しストロボ１２を発光させる。タイマ７４は時計回路を内蔵し、現在の日時に対応する日時情報を検出し、撮影時に撮影日時情報をＣＰＵ５０に供給する。ＣＰＵ５０は該撮影日時情報を画像データに付加してメモリカード７７に格納する。ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ１００の動作に必要な設定情報等を記憶している。ＲＡＭ７０は揮発性のメモリであって、ＣＰＵ５０の一時的作業領域として用いられる。ＣＰＵ５０は、電源スイッチ１７の操作状態を検知して、電源制御回路６４を介して電源６３（電池など）の制御を行う。
【００２２】
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。
【００２３】
アナログ処理部５７はＣＣＤ５５が光電変換した画像信号を所定のタイミングでサンプリングし、そのサンプリングした信号を所定のレベルに増幅する。Ａ／Ｄ変換回路５８（アナログデジタル変換回路）はアナログ処理部５７でサンプリングした画像信号をデジタル化することによりデジタルデータに変換し、撮影バッファメモリ５９は該デジタルデータを一旦格納する。
【００２４】
撮影制御回路６０は撮影モード中上述の動作を繰り返すとともに、画面制御回路９２はデータ／制御バス５１を介して撮影バッファメモリ５９に順次格納されるデジタルデータを読み出してフレームメモリ６９に一旦格納し、該デジタルデータを表示用画像データに変換してフレームメモリ６９に再格納し、該表示用画像データを左画面２１に表示させるというスルー画像表示動作を繰り返す。また画面制御回路９２は必要に応じてテキスト表示情報をＣＰＵ５０から入手し、表示用テキストデータに変換してフレームメモリ６９に格納し、該表示用テキストデータを左画面２１、右画面２２に表示させる。このようにして撮影モードにおいては、左画面２１にＣＣＤ５０により撮像されている画像がリアルタイムに表示されるので、このスルー画像をモニター画面として使用して撮影のための構図設定を行うことが可能になる。撮影制御回路６０は撮影バッファメモリ５９に格納したデジタルデータの高周波成分の度合い解析して撮影レンズ１０の焦点調節状態を検出し、検出結果に応じてレンズ駆動回路５２により撮影レンズ１０の焦点調節を行う。
【００２５】
レリーズ時に撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成し、該画像データをメモリカードスロット３０に装着されたメモリカード７７に記録保存する。
【００２６】
ＧＰＳ回路６１（グローバルポジショニングシステム回路）は、地球の周りを周回している複数の衛星からの情報を用いて電子カメラ１００の位置情報（経度データ、緯度データ）を検出し、画像撮影時に撮影位置情報をＣＰＵ５０に供給する。ＣＰＵ５０は該撮影位置情報を画像データに付加してメモリカード７７に格納する。
【００２７】
再生モードにおいては、画面制御回路９２はメモリカードスロット３０に装着されたメモリカード７７からＣＰＵ５０に指示された画像データを読み出してフレームメモリ６９に一旦格納し、該画像データを左画面２１に表示するとともに、ＣＰＵ５０の指示に従い、撮影データ等のテキストデータを右画面２２に表示する。
【００２８】
またＣＰＵ５０はカードボタン３１が操作された場合には、無線通信回路７２を動作させ、読み出しコマンドを送受信アンテナ７６より外部に送信し、該読み出しコマンドに応答した電子カメラ１００の近傍にあるメモリカード７７から送信されるカード情報データを受信させる。さらにＣＰＵ５０は受信したカード情報データを画面制御回路９２によりフレームメモリ６９を介して左画面２１および右画面２２に表示させる。
【００２９】
図６は無線通信回路７２の詳細な構成図であって、無線通信回路７２は無線通信回路７２の構成要素を制御する制御部７２１と、送信データを変調するための変調クロックを発生する発振部７２３と、データ／制御バス５１から受け取った送信データを変調クロックに従って変調する変調部７２２と、変調された送信データを電力増幅し送受信アンテナ７６から送信する電力増幅部７２４と、送受信アンテナ７６により受信した受信データを復調してデータ／制御バス５１に送り出す復調部７２５とから構成される。制御部７２１は、データ／制御バス５１を介しＣＰＵ５０から受け取った制御信号に基づき、変調部７２２、発振部７２３、電力増幅部７２４、復調部７２５の動作の許可／禁止を行い、カード情報の読み出し時以外は無線通信回路７２を不動作とすることで、無線電力送信の負担を軽減しエネルギーの節約を図る。
【００３０】
図７は送受信アンテナ７６の電子カメラ１００内の配置を示す図であって、コイル状の送受信アンテナ７６を比較的広い平面スペースを確保できる左ＬＣＤ２１の背後に収納している。このように送受信アンテナ７６を比較的広い平面スペースに配置することにより、エネルギー効率の高い非接触通信および非接触電力供給が達成できる。また電子カメラ１００の背面のほぼ中央にあるカード情報表示用の画面の近傍にメモリカード７７を近づけるという行為は極めて自然な行為であるとともに、電子カメラ１００を片手に持ち、もう片方の手にメモリカード７７を持った場合に最もやりやすい動作であるので、ユーザフレンドリーなインタフェースを構築することができる。
【００３１】
図８はメモリカード７７の詳細な構成図であって、メモリカード７７の構成要素を制御する制御部７７１と、電磁波を送受信する送受信アンテナ７７４と、送受信アンテナで受信した信号の交流成分から送信データを変調するための変調クロックを生成するクロック生成部７７３と、送信データを変調クロックに従って変調する変調部７２２と、送受信アンテナ７７４により受信した受信データを復調する復調部７７５と、送受信アンテナ７７４で受信した電磁波信号の交流成分から電力を発生す電源生成部７７６と、カード情報や画像データを記憶するＥＥＰＲＯＭ７７７と、電子カメラ１００への装着時に電子カメラ１００のコネクタ端子と機械的に接触するコネクタ端子７８とから構成される。
【００３２】
メモリカード７７が電子カメラ１００に装着されている場合には、電力はコネクタ端子７８を介して電子カメラ１００より供給されるとともに、制御部７７１はコネクタ端子７８を介して電子カメラ１００から与えられる制御信号に基づき、電子カメラ１００より受信した画像データをＥＥＰＲＯＭ７７７に記憶したり、ＥＥＰＲＯＭ７７７に記憶された画像データを電子カメラ１００に送信したりする。また制御部７７１は、メモリカード７７の電子カメラ１００への装着中は、変調部７７２、送受信アンテナ７７４、クロック生成部７７３、復調部７７５、電源生成部７７６の動作を禁止する。これにより電子カメラ１００にメモリカード７７が装着されている場合も、電子カメラ１００は該装着されたメモリカード７７と混信せずに装着されたメモリカード以外のメモリカードと非接触通信を行うことができる。メモリカード７７の電子カメラ１００への装着の検出は制御部７７１がコネクタ端子７８の中の電力供給端子の電圧をチェックしたり、メモリカード７７の電子カメラ１００への装着を機械的に検知するスイッチの状態をチェックすることにより行われる。
【００３３】
一方メモリカード７７が電子カメラ１００に装着されていない場合には、送受信アンテナ７７４で受信した電磁波信号の交流成分により電源生成部７７６がメモリカード７７の動作に必要な電力を発生する。電源生成部７７６は整流器とコンデンサーからなっており、受信信号の交流成分を整流器で整流して直流電圧を発生し、発生した電力をコンデンサに蓄える。制御部７７１は復調部７７５が復調した電子カメラ１００から受信した制御信号に基づき、電子カメラ１００から受信した情報をＥＥＰＲＯＭ７７７に書きこんだり、ＥＥＰＲＯＭ７７７に記憶された情報やメモリカードの空き容量などの情報を変調部７７２により変調し、送受信アンテナ７７４から電子カメラ１００に送信する。
【００３４】
図９はメモリカード７７内に格納される情報の構成を示す図であって、メモリカード７７にはカード情報と複数の画像ファイルが保存される。カード情報はメモリカード７７を他のメモリカードと識別するためのカード識別データ、代表画像データ等である。代表画像データはメモリカード７７に格納されている画像ファイルの中の１つの画像データでも良いし、それ以外のメモリカードを識別するための画像データ（例えば花の画像データを格納するメモリカードの場合は、花の画像データを代表画像としたり、メモリカードの所有者または使用者の顔画像データを代表画像データとする。）でもよい。ただし非接触型通信は接触型通信に比較して通信速度が遅いことと、代表画像データは電子カメラ１００の画面での確認用途であることから、代表画像データのは通常の画像ファイルに格納される画像データよりデータ容量を圧縮した画像データ（例えばサムネイル画像）であることが望ましい。また各画像ファイルは画像データと付加情報データから構成される。付加情報データは、図１０に示すように撮影時の各種設定を示す撮影データと撮影日時データと撮影位置データから構成される。
【００３５】
図１１は本発明による電子カメラ１００の実施形態の状態遷移図である。電源ＯＮ時には撮影モードとなり、レリーズボタン１６の操作により撮影動作と撮影後の画像ファイル作成および画像ファイルのメモリカード７７への格納が行われる。再生モードにおいてはメモリカード７７に格納した画像データの再生表示動作が行われる。また撮影モードボタン２８を操作すると、再生モードから撮影モードに移行し、再生モードボタン２９を操作すると、撮影モードから再生モードに移行する。またカードボタン３１を操作すると、電子カメラ１００の近傍にある電子カメラ１００に装着していないメモリカード７７と非接触型通信を行い、該メモリカード７７の情報を読み出して表示する。
【００３６】
図１２は上記実施形態における電子カメラ１００（ＣＰＵ５０）の動作のメインフローチャートである。まずＳ１０で電源スイッチ１７を操作すると電源がＯＮとなり、Ｓ２０で撮影モードのサブルーチンを実行し撮影可能状態になる。撮影モード中にレリーズボタン１６を操作すると、Ｓ３０のレリーズ割込み処理サブルーチンが実行され、撮影動作が行われる。撮影モード中に再生モードボタン２９を操作すると、Ｓ４０のモード切換割込み処理サブルーチンが実行され、Ｓ５０の再生モードサブルーチンが実行され、メモリカード７７に格納されている画像データが左画面２１に再生表示される。逆に再生モード中に撮影モードボタン２８を操作すると、Ｓ４０のモード切換割込み処理サブルーチンが実行され、Ｓ２０の撮影モードサブルーチンに移行する。撮影モード中および再生モード中にカードボタン３１を操作すると、Ｓ６０のカードボタン割込み処理サブルーチンが実行され、メモリカード７７のカード情報の読み出しと表示が行われる。
【００３７】
図１３は撮影モードサブルーチンの詳細フローチャートであって、Ｓ２０で起動すると、Ｓ２０１の処理を繰り返す。Ｓ２０１ではユーザが設定したカメラ設定条件で順次ＣＣＤ５５により生成される画像データを図１４に示すように左画面２１に表示し、そのときのカメラ設定条件と日時情報データ（時間データ）と撮影位置データ（位置データ）を右画面２２にテキスト表示する。
【００３８】
図１５はレリーズ割込み処理サブルーチンの詳細フローチャートであって、Ｓ３０で起動すると、Ｓ３０１で撮影モードであるかチェックし、撮影モードでない場合はＳ３０４でリターンする。撮影モードの場合は、Ｓ３０２でユーザまたはカメラにより設定されている撮影条件で撮像動作を実行し、Ｓ３０３で得られた画像データに時間データと位置データを付加してメモリカード７７に格納し、Ｓ３０４でリターンする。
【００３９】
図１６はモード切換割込み処理サブルーチンの詳細フローチャートであって、Ｓ４０で撮影モードボタン２８または再生モードボタン２９の操作により起動すると、Ｓ４０１で操作されたボタンが撮影モードボタン２８であるかチェックし、撮影モードボタン２８である場合は再生モードを終了し、Ｓ２０の撮影モードサブルーチンに移行する。操作されたボタンが撮影モードボタン２８でない場合は撮影モードを終了し、Ｓ５０の再生モードサブルーチンに移行する。
【００４０】
図１７は再生モードサブルーチンの詳細フローチャートであって、Ｓ５０で起動すると、Ｓ５０１の処理を繰り返す。Ｓ５０１では左方向ボタン２５、右方向ボタン２６の操作に応じてメモリカード７７に格納された画像データを選択して読み出し、図１８に示すように左画面２１に再生表示するとともに、画像データに対応する撮影データを表示する。なお電源ＯＮ直後は最新の画像データを表示し、以後は左方向ボタン２５の操作に応じて順次時間データの古い画像データを表示するとともに、右方向ボタン２６の操作に応じて順次時間データの新しい画像データを表示する。
【００４１】
図１９はカードボタン３１の操作により起動するカードボタン割込み処理サブルーチンの詳細フローチャートであって、Ｓ６０で起動すると、Ｓ６０１で読み出しコマンドを無線通信回路７２と送受信アンテナ７６を介し外部に送信する。Ｓ６０２で送信した読み出しコマンドに対する応答が所定時間内にあったか待機し、応答がなかった場合にはＳ６０３で図２０に示すような警告表示を右画面２２に表示してＳ６０５に進む。応答があった場合にはＳ６０４でメモリカード７７から無線通信回路７２および送受信アンテナ７６を介して受信した情報を図２１のように表示する。図２１において代表画像データが左画面２１に表示され、カード識別データ、メモリカードの記憶容量／空き容量のデータ等が右画面２２に表示される。メモリカードの記憶容量／空き容量のデータはアイコンなどによりアナログ表示すると更に認識し易くなる。この状態において更に上ボタン２３、下ボタン２４の操作に応じて図２２に示すように画像ファイルの情報が順次表示される。
【００４２】
Ｓ６０５ではタイマ７４をリセットしてスタートさせる。Ｓ６０６では再度カードボタン３１が操作されたか否かチェックし、操作された場合にはＳ６０１に戻り、次のメモリカード情報読み出し動作を行う。操作されない場合はＳ６０７でＳ６０５からの経過時間をチェックし、所定時間経過していない場合にはＳ６０６に戻り、所定時間経過した場合にはＳ６０８で無線通信回路７２の動作をダウンしてリターンする。
【００４３】
図２３はメモリカード７７（制御部７７１）の動作のメインフローチャートであって、電源ＯＮ（電子カメラ１００への装着又は電子カメラ１００からの電磁波の受信）によりＳ７０で起動すると、Ｓ７０１で電子カメラ１００に装着されているか否かチェックし、装着されていない場合はＳ７０２で非接触型通信により読み出しコマンドを受信したかチェックし、受信しない場合は読み出しコマンドの受信を待機するためにＳ７０２を繰り返し、受信した場合はカード情報（カード識別データ、記憶容量データ／空き容量データ、画像ファイル情報等）を電子カメラ１００に非接触型通信で送信し、Ｓ７０２に戻る。
【００４４】
一方Ｓ７０１で電子カメラ１００に装着されている場合は、Ｓ７０４に進み非接触型通信動作を禁止し、Ｓ７０５以降の接触型通信による動作を行う。Ｓ７０５では接触型通信により電子カメラ１００より画像ファイルの書きこみ指示を受信したかチェックし、画像ファイルの書きこみ指示を受信した場合には電子カメラ１００より受信した画像ファイルをＥＥＰＲＯＭ７７７に書きこんでＳ７０５に戻る。Ｓ７０５で画像ファイルの書きこみ指示を受信しなかった場合にはＳ７０７に進み、接触型通信により電子カメラ１００より画像ファイルの読み出し指示を受信したかチェックし、画像ファイルの読み出し指示を受信した場合にはＥＥＰＲＯＭ７７７に記憶された画像ファイルを電子カメラ１００に送信し、Ｓ７０５に戻る。画像ファイルの読み出し指示を受信しなかった場合にはＳ７０５に戻る。
【００４５】
上記実施形態（図１〜図２３）においては、電子機器（電子カメラ１００）に記憶媒体（メモリカード７７）を近接させるだけで、記憶媒体を識別するための情報を電子機器側で表示できる。即ち記憶媒体に関する概要情報を該記憶媒体を利用する電子機器に装着することなしに簡便にユーザが知ることができるので、記憶媒体を識別するためのインデックスを記憶媒体に貼りつけたり、記憶媒体を識別するために記憶媒体を電子機器に装着するような手間を省くことができる。また電子カメラのような画像データを取り扱う電子機器においては、画像データを記憶するメモリカードの識別を代表画像データの表示により感覚的に行うことができるので、メモリカードの識別をより迅速に行うことができる。（変形形態の説明）本発明は以上説明した実施形態に限定されることなく、種々の変形や変更が可能である。
【００４６】
上記実施形態（図１〜図２３）においては、電子カメラ１００にメモリカード７７を近接させるだけで、メモリカード７７を識別するための情報が電子カメラ１００側の画面に表示されるが、複数のメモリカードを同時に電子カメラ１００に近接させた場合には混乱がおこり、どのメモリカードに関する情報が表示されたのか分からなくなってしまう。そこで図２４に示すようにメモリカード７７の片面の中央近傍に操作部材７７８（感圧センサー又は薄型スイッチ）を内蔵させ、ユーザの操作に応じてメモリカード７７の情報を電子カメラ１００に送信して表示させるようにしてもよい。図２５はこのような構成のメモリカード７７の動作のメインフローチャートであって、図２３のフローチャートとはＳ７０２とＳ７０３の間にＳ７１０が追加された点が異なっている。即ちメモリカード７７は読み出しコマンドを電子カメラ１００から受信した場合には、Ｓ７１０で操作部材７７８がユーザにより操作されたかチェックし、操作された場合のみＳ７０３のカード情報の送信に進むように構成されている。このようにすれば、ユーザは電子カメラ１００で表示されたメモリカードと自分の操作したメモリカードとの対応が取れるので、電子カメラ１００の近傍に複数のメモリカードがある場合にも混乱を起こすことがない。
【００４７】
上記実施形態（図１〜図２３）においては、電子カメラ１００にメモリカード７７を近接させるだけで、メモリカード７７を識別するための情報が電子カメラ１００側の画面に表示されるが、複数のメモリカードを同時に電子カメラ１００に近接させた場合には混乱がおこり、どのメモリカードに関する情報が表示されたのか分からなくなってしまう。そこで図２６に示すようにメモリカード７７の片面の中央近傍に表示手段７７９（液晶デバイス、エレクトロルミネッセンス素子、電子ペーパー等）を内蔵させ、電子カメラ１００から電磁波の信号を受信した場合にメモリカード７７の情報をメモリカード７７に内蔵した表示手段７７９に表示させるようにしてもよい。図２７はこのような構成のメモリカード７７に対応した電子カメラ１００のカードボタン割込み処理サブルーチンの詳細フローチャートであって、Ｓ６０で起動すると、Ｓ６１０で無線通信回路７２および送受信アンテナ７６を介して電磁波の送信を開始する。Ｓ６１１ではメモリカード７７への電力供給のために所定時間だけ電磁波送信を継続し、Ｓ６１２でリターンする。図２８はこのような構成のメモリカード７７の動作のメインフローチャートであって、図２３のフローチャートとはＳ７０２とＳ７０３の代わりにＳ７２０が追加された点が異なっている。即ちメモリカード７７は読み出しコマンドを電子カメラ１００から電磁波を受信した場合には、Ｓ７２０で自分自信のカード情報を表示手段７７９により表示する。このようにすれば、ユーザは電子カメラ１００の近傍にあるメモリカード７７の表示手段７７９に表示された情報によりメモリカードを識別できるとともに、複数のメモリカードを一度に電子カメラ１００に接近させ、複数の表示情報を閲覧しながらメモリカードを選択することができるので、更にメモリカードの識別選択を効率的にかつ迅速に行うことができる。
【００４８】
なお上述した電子ペーパーとは特開平１１−３１６３９７号公報に開示された表示デバイスや、日経サイエンス２００２年２月号などに掲載された記事にあるような表示デバイスであって、電気的に表示の書き換え可能、薄型かつフレキシビリティがあり、電源ＯＦＦ時にも不揮発性の表示が可能といった特徴を備えている。このような不揮発性表示デバイスをメモリカード７７が備えている場合には、該メモリカード７７を電子カメラ１００に装着している間に電子カメラ１００から電力供給を受け、該メモリカード７７に関する情報をメモリカード７７に内蔵した電子ペーパーに表示させるようにしてもよい。このようにすればメモリカード７７関する情報は該メモリカード７７を電子カメラから取り外した後も電源供給なしで不揮発的に電子ペーパーにより表示されるので、記憶媒体を識別するためのインデックスを記憶媒体に貼りつけたり、記憶媒体を識別するために記憶媒体を電子機器に装着するような手間を省くことができる。
【００４９】
なお電子ペーパーへのカード情報の表示を電子カメラ１００が制御する場合には、メモリカード７７の空き容量や画像ファイル情報を正確に把握するために、前記電子ペーパーへの表示タイミングは、メモリカード７７を電子カメラ１００から取り外す直前が適しており、電子カメラ１００のＣＰＵ５０はメモリカードスロット３０の操作を検知（スロット蓋の開閉などをスイッチで検知）して、メモリカード７７の電子ペーパーにカード情報を表示させたり、電源スイッチのＯＦＦ操作時に、すぐに電源制御回路６４により電子カメラ１００の電源をＯＦＦにせずに、メモリカード７７の電子ペーパーにカード情報を表示させてから電源制御回路６４により電子カメラ１００の電源をＯＦＦさせるようにしてもよい。あるいは電子カメラ１００のＣＰＵ５０はメモリカードスロット３０に装着されたメモリカード７７のカード情報を周期的に更新して電子ペーパーに表示させてもよい。また電子ペーパーへのカード情報の表示をメモリカード７７が制御する場合には、メモリカードスロット３０に装着されたメモリカード７７はカード情報が変化した際（空き容量の増減等）にカード情報を更新して電子ペーパーに表示させる。このようにすれば、メモリカードを識別するためにメモリカードを電子カメラ１００の近傍に持ってくる必要がなくなるので、更に制約がない状態でメモリカードの識別選択を効率的にかつ迅速に行うことができる。
【００５０】
上記実施形態（図１〜図２３）においては、メモリカード７７の識別のために使用されるカード情報は、メモリカード７７の記憶容量／空き容量のデータ、メモリカード７７に保存されている情報に関するデータ（ファイル名、ファイル作成日、ファイル作成場所など）、メモリカード７７の使用者／所有者に関するデータであったが、メモリカードの用途に応じてメモリカードを識別するための情報であればどのような情報であろうと構わない。例えば電子機器が音楽プレーヤーでありメモリカードにＭＰ３などのデジタル化された楽曲ファイルが保存されている場合には、音楽プレーヤー側でメモリカードに格納されている楽曲ファイルの代表的なもののさわり部分を音声再生させて表示させたり、音楽ジャンルを表示させたり、楽曲の作曲者、作詞者、演奏者などを表示させたりしてもよい。
【００５１】
上記実施形態（図１〜図２３）においては、非接触型通信により電子カメラ１００からメモリカード７７に情報を書きこむ例は示していないが、メモリカード７７を識別するための情報を非接触型通信により電子カメラ１００からメモリカード７７に書きこむようにしても構わない。例えばメモリカード７７を特定の電子カメラ１００の専用で使用する場合には電子カメラ１００の識別情報を非接触型通信により電子カメラ１００からメモリカード７７に書きこむようにする。
【図面の簡単な説明】
【００５２】
【図１】本発明の概念図である。
【図２】電子カメラの外観図（正面視）である。
【図３】電子カメラの外観図（背面視）である。
【図４】メモリカードの外観図である。
【図５】電子カメラの電気構成を示すブロック図である。
【図６】無線通信回路の構成図である。
【図７】送受信アンテナの配置図である。
【図８】メモリカードの構成図である。
【図９】メモリカードのデータの構成図である。
【図１０】付加情報データの構成図である。
【図１１】電子カメラの状態遷移図である。
【図１２】ＣＰＵのメインフローチャートである。
【図１３】サブルーチンのフローチャートである。
【図１４】画面の表示例である。
【図１５】サブルーチンのフローチャートである。
【図１６】サブルーチンのフローチャートである。
【図１７】サブルーチンのフローチャートである。
【図１８】画面の表示例である。
【図１９】サブルーチンのフローチャートである。
【図２０】画面の表示例である。
【図２１】画面の表示例である。
【図２２】画面の表示例である。
【図２３】メモリカードの動作フローチャートである。
【図２４】メモリカードの説明図である。
【図２５】メモリカードの動作フローチャートである。
【図２６】メモリカードの説明図である。
【図２７】サブルーチンのフローチャートである。
【図２８】メモリカードの動作フローチャートである。
【符号の説明】
【００５３】
１０  撮影レンズ
１６  レリーズボタン
２１  左ＬＣＤ（左画面）
２２  右ＬＣＤ（右画面）
２８  撮影モードボタン
２９  再生モードボタン
３１  カードボタン
５０  ＣＰＵ
５１  データ／制御バス
５５  ＣＣＤ
６０  撮影制御回路
６３  電源
６５  操作キー
７２  無線通信回路
７７  メモリカード
１００  電子カメラ
【図１】
2008135066.tif 000003
【図２】
2008135066.tif 000004
【図３】
2008135066.tif 000005
【図４】
2008135066.tif 000006
【図５】
2008135066.tif 000007
【図６】
2008135066.tif 000008
【図７】
2008135066.tif 000009
【図８】
2008135066.tif 000010
【図９】
2008135066.tif 000011
【図１０】
2008135066.tif 000012
【図１１】
2008135066.tif 000013
【図１２】
2008135066.tif 000014
【図１３】
2008135066.tif 000015
【図１４】
2008135066.tif 000016
【図１５】
2008135066.tif 000017
【図１６】
2008135066.tif 000018
【図１７】
2008135066.tif 000019
【図１８】
2008135066.tif 000020
【図１９】
2008135066.tif 000021
【図２０】
2008135066.tif 000022
【図２１】
2008135066.tif 000023
【図２２】
2008135066.tif 000024
【図２３】
2008135066.tif 000025
【図２４】
2008135066.tif 000026
【図２５】
2008135066.tif 000027
【図２６】
2008135066.tif 000028
【図２７】
2008135066.tif 000029
【図２８】
2008135066.tif 000030